(57)【要約】      （修正有）【課題】コピーされた場合には、コピーされたことを判別し得る機能を有するコード埋め込み画像印刷物を提供する。【解決手段】コードが埋め込まれた画像印刷物を、コードが埋め込まれた画像が印刷された領域の表面に周縁の形状が長方形または楕円形の凹部および／または凸部を複数箇所設置し、少なくとも、１個の凹部または凸部の長方形または楕円形の長手方向と他の１個の凹部または凸部の長方形または楕円形の長手方向とが、略９０度の角度をなすように印刷物を構成する。【選択図】図１
0003136902.tif 000002
【実用新案登録請求の範囲】
【請求項１】
コードが埋め込まれた画像を有する印刷物であって、
前記コードが埋め込まれた画像が印刷された領域の表面に凹部および／または凸部を備えることを特徴とする埋め込みコード含有画像印刷物。
【請求項２】
請求項１に記載の埋め込みコード含有画像印刷物において、
前記凹部および／または凸部の周縁の形状は長方形または楕円形であることを特徴とする埋め込みコード含有画像印刷物。
【請求項３】
請求項2に記載の埋め込みコード含有画像印刷物において、
前記凹部および／または凸部は複数箇所設置され、
少なくとも、１個の前記凹部または凸部の長方形または楕円形の長手方向と、他の１個の前記凹部または凸部の長方形または楕円形の長手方向と、がなす角度は略９０度であることを特徴とする埋め込みコード含有画像印刷物。
【考案の詳細な説明】
【技術分野】
【０００１】
本考案は、コードが埋め込まれた画像を有する印刷物に関する。
【背景技術】
【０００２】
近年、種々の印刷物上のコードを携帯電話のカメラ等で写すことにより、コードを解読し、インターネットを介して、種々のコンテンツに接続するというコードの利用形態が普及しつつある。特に携帯電話は、入力キーに制限があり、手でＵＲＬを入力するのは困難であり、有用な技術である。
【０００３】
このようなコードは、一般的には、ＱＲコード（登録商標）のように特徴のある形状を有して、人間の目に見えるものであるが、文献１に開示されているような、画像の中に人間の目に見えない状態で埋め込まれているコードも普及しつつある。
【０００４】
近年の急速な複写技術の進歩等により、このようなコードが埋め込まれている画像をコピーすると、埋め込まれているコードも、コピーでき、コピーされた印刷物において、コードは、そのコードとしての機能を果たすことができる場合が多い。
【特許文献１】特開  ２００４−３４９８７９
【特許文献２】特開  ２００５−２９３４０９
【考案の開示】
【考案が解決しようとする課題】
【０００５】
しかし、コードを画像に埋め込む目的や用途によっては、コードが埋め込まれた画像印刷物がコピーされることは、コードを画像に埋め込んだ者の想定外であり、コードを埋め込んだ者に不利益を生じさせる場合もある。このような場合には、コードが埋め込まれた画像印刷物がコピーされている状況の追跡調査の必要が生じる。
【０００６】
追跡調査をするためには、コードが埋め込まれた画像印刷物が原本か、またはコピーされたものかどうかが判別できることが必要である。
【０００７】
そこで、本考案は、コピーされた場合には、コピーされたことを判別し得る機能を有するコードが埋め込まれた画像印刷物を提供することを目的とする。
【課題を解決するための手段】
【０００８】
考案者は、印刷物に、凹凸を設けると、コピーする方向、言い換えれば、コピー機の光源が移動する方向に依存して、僅かな陰影が生じることに着目し、本考案に係る埋め込みコード含有画像印刷物を完成した。
【０００９】
請求項１に記載された考案は、コードが埋め込まれた画像を有する印刷物であって、
前記コードが埋め込まれた画像が印刷された領域の表面に凹部および／または凸部を備えることを特徴とする。
【００１０】
請求項２に記載された考案は、請求項１に記載の埋め込みコード含有画像印刷物に係り、
前記凹部および／または凸部の周縁の形状は長方形または楕円形であることを特徴とする。
【００１１】
請求項３に記載された考案は、請求項２に記載の埋め込みコード含有画像印刷物に係り、
前記凹部および／または凸部は複数箇所設置され、
少なくとも、１個の前記凹部または凸部の長方形または楕円形の長手方向と、他の１個の前記凹部または凸部の長方形または楕円形の長手方向と、がなす角度は略９０度であることを特徴とする。
【００１２】
少なくとも、１個の前記凹部または凸部の長方形または楕円形の長手方向と他の１個の前記凹部または凸部の長方形または楕円形の長手方向とが略９０度で交差していることにより、該埋め込みコード含有画像印刷物がいかなる方向からコピーされてもコピーされたものに影が生じるという効果を得ることができる。
【考案の効果】
【００１３】
本考案に係るコード埋め込み画像印刷物によれば、該コード埋め込み画像印刷物がコピーされた場合には、コピーされた印刷物に、コピーされたことを示す陰影が生じ、該コード埋め込み画像印刷物がコピーされたことを確認できる。その結果、コード埋め込み画像印刷物を市場に頒布し、誰でも該印刷物をコピーできるような状態においた場合であっても、必要に応じて、該コード埋め込み画像印刷物がコピーされている実情を把握することができる。
【考案を実施するための最良の形態】
【００１４】
以下、図を参照しつつ、本考案を実施するための最良の形態につき説明する。
【００１５】
図１は本考案に係るコード埋め込み画像印刷物の構成を示す斜視図である。
図１において、１０１はコード埋め込み画像印刷物であり、１０２および１０４は凹部であり、１０３はコードが埋め込まれている画像の領域である。また、２０１はコピーをするときにコピー機の光源が動く方向を表す矢印である。
【００１６】
領域１０３の中に印刷されている画像にコードが人間の目で見てもわからないような状態で埋め込まれている。凹部１０２は、微妙なへこみであり、光線の加減によっては、人間の目で見ても凹部の存在に気がつかない程度のものである。凹部１０４も、設置されて方向が異なるだけで、基本的には凹部１０２と同じものである。凹部１０４と凹部１０２とは、設置されている方向が約９０度異なっている。このように、設置する方向に約９０度の差を持たせる理由は、本考案に係るコード埋め込み画像印刷物を、いかなる方向からコピーしても微妙な陰影が生じるようにするためである。
【００１７】
コピー機の多くは、紙を置く台のガラスの下に設置された光源が移動しながら、印刷物の表面に向かって光を放射し、印刷物の表面に入射した光の反射光により印刷物の表面の画像情報を得ることによって、コピーを作成する。印刷物の表面に凹凸があると、印刷物からの反射光の方向が凹凸の境界付近で僅かに異なり、画像情報が、凹凸がない場合のものとは異なる。この結果、コピーに僅かな陰影ができる。この陰影は、印刷物の表面の凹凸により印刷物からの反射光の方向を一定の方向へ変化させてしまう場所が集中するほど、影の濃度が濃くなり、人の目でも観察できるものとなる。図に基づいて説明する。
【００１８】
図２は図１のコードが埋め込まれている画像の領域１０３を正面から視た正面図である。
図２において、１０２および１０４は凹部であり、２０１はコピーをするときにコピー機の光源が動く方向を表す矢印である。１２４は凹部１０４の周縁のうち、矢印２０１の方向にコピー機の光源が動くときの上流側の半周縁であり、１３４は下流側の半周縁である。また４５０は凹部１０４に隣接する矢印２０１の上流側の領域（以下「上流部」ともいう）であり、４５２は凹部１０４の底の部分（以下「底部」ともいう）であり、４５４は凹部１０４に隣接する、矢印２０１の下流側の領域（以下「下流部」ともいう）である。
【００１９】
図３は図２に示された印刷物をコピー機の光源が矢印２０１の方向に動く状態でコピーしたとき、コピーされた結果の正面図である。
図３において、３２４および３３４は本考案に係るコード埋め込み画像印刷物をコピーすると凹部１０４に対応する場所に生じる陰影である。陰影３２４と３３４の濃さは、コピー機の光源が動く方向に対する凹部１０４の位置関係に依存し、図３の状態では、陰影３２４は非常に薄い影となり、陰影３３４は陰影３２４よりは濃い陰影となる。また、図１の凹部１０２のように凹部の長手方向がコピー機の光源が動く方向に沿って配置された凹部については、ほとんど人間の目に見えるような陰影は生じない。理由は以下のように考えられる。図に基づいて説明する。
【００２０】
図４は図３のＸ−Ｘ切断線部分断面図である。
図４において、４５０は凹部１０４の上流部である。また、４５２は凹部１０４の底部であり、４５４は凹部１０４の下流部である。また、４０１乃至４０９はコピー機の光源から本考案に係るコード埋め込み画像印刷物の表面に入射する入射光であり、４１１乃至４１９は各入射光４０１乃至４０９の反射光である。４５１は凹部１０４の上流側の側壁であり、４５３は凹部１０４の下流側の側壁である。また、Ａは平坦な上流部４５０のうち入射光が正常に反射する領域である。Ｘは平坦な上流部４５０の一部ではあるが、半周縁１２４の近傍であり、薄い影を生じる領域である。Ｂは凹部１０４の底部にあり、平坦で入射光が正常に反射する領域である。Ｚは凹部１０４の底部の平坦な領域にあり、入射光が正常に反射する領域であるが、反射光（反射光４１６参照）が側壁４５３に妨げられてしまい、影を生ずる領域である。Ｙは凹部１０４の側壁の領域である。Ｃは平坦な下流部４５４にあり、入射光が正常に反射する領域である
【００２１】
領域Ａ、領域Ｂおよび領域Ｃへの入射光に対する反射光は一様に同様な方向（以下「一様な方向」ともいう）に反射し、影を生じない。
それに対して、領域Ｘ、領域Ｚおよび領域Ｙへの入射光は影を生じる。以下、領域ごとに説明する。
【００２２】
領域Ａへの入射光（例えば入射光４０１、４０２）は前記一様な方向へ反射し、影を生じない（反射光４１１、４１２参照）。また、領域Ａへの入射光（例えば入射光４０１、４０２）は、反射光（例えば反射光４１１、４１２）が正常な方向に反射するとともに、界面を通過する屈折光（例えば屈折光４２２）は、次の界面で同様の方向に反射する（反射光４３２参照）。
【００２３】
領域Ｘは、その領域への入射光（例えば入射光４０３）は正常な方向に反射する（反射光４１３参照）が、界面で反射しないで、印刷物の中に入る屈折光（例えば屈折光４２３）が、凹部１０４の側壁４５１に反射し、反射光４３２とは異なる方向へ反射する（反射光４３３参照）領域である。領域Ａと領域Ｘと間の境界は、入射光４０２が入射している近傍である。屈折光が凹部１０４の側壁４５１に反射する領域はＸ領域となり、屈折光が凹部１０４の側壁４５１に反射しないで、印刷物の裏面で反射するときはＡ領域となる。この境界は、入射光（例えば入射光４０２）の入射角に依存するものである。
【００２４】
領域Ｂは凹部１０４の底部にあり、この領域Ｂへの入射光（例えば入射光４０４、４０５）の反射光（例えば反射光４１４、４１５）は前記一様な方向へ反射するので影は生じない。
【００２５】
領域Ｚは、領域Ｂと同様に凹部１０４の底部にあるが、側壁４５３の近傍であるがために、この領域への入射光（例えば入射光４０６）の反射光（例えば反射光４１６）が側壁４５３に反射し影を生じさせてしまう領域である。
【００２６】
領域Ｙは、凹部１０４の下流側の側壁４５３にあり、このＹ領域への入射光（例えば入射光４０７）は側壁４５３に反射し、前記一様な方向とは異なる方向へ反射（反射光４１７参照）してしまい、影を生じる。また、このＹ領域の面積は横一列に連なった大きな面積であるために横一列の線状に、肉眼でも確認できる影を生ずる（図１、図２、図３参照）。
【００２７】
領域Ｃは、凹部１０４の下流側の側壁４５３の近傍の平坦な領域であり、この領域Ｃへの入射光（例えば入射光４０８、４０９）は前記一様な方向へ反射するので、影は生じない。なお、図４における凹部１０４の幅（領域Ｂ、Ｚ）は、明確に図示するために相当幅広に描いているが、実際には狭いものである。
【００２８】
次に、図４のＹ領域の面積を把握し易い平面図に基づいて説明する。
【００２９】
図６は、図１および図２の凹部１０４の拡大平面図である。
図６において、６１１乃至６１５は、本考案に係るコード埋め込み画像印刷物をコピー機の光源が矢印２０１の方向に移動する状態で、コピーする場合の、コピー機の光源から凹部１０４の上流側の半周縁１２４（図２参照）に入射する入射光である。また、６２１乃至６２５は、同様に、本考案に係るコード埋め込み画像印刷物をコピー機の光源が矢印２０１の方向に移動する状態でコピーするときのコピー機の光源から凹部１０４の下流側の半周縁１３４（図２参照）への入射光である。
【００３０】
入射光６１１乃至６１５は、図４における領域Ｘに入射する入射光（例えば入射光４０３）に対応し、薄い影を生ずる。
【００３１】
他方、入射光６２１乃至６２５は、コピー機の光源から凹部１０４の下流側の半周縁１３４への入射光であり図４における領域Ｙへの入射光（例えば入射光４０７）に対応する。領域Ｙは入射光６２１乃至６２５に対して、横一列の壁の状態で存在しているので、横一列に連なった入射光６２１乃至６２５は、異なる方向へ反射する。その結果、横一列の線状の影を生じる。この影は、人の目にも見え、印刷物がコピーされたものであることを示すこととなる。
【００３２】
次に、周縁が長方形または楕円形の凹部の長手方向がコピー機の光源が移動する方向と平行に設置されている場合について説明する。
【００３３】
図１および図２に示された凹部１０２は凹部の長方形または楕円形の長手方向がコピー機の光源が移動する方向と平行となるように設置されている。
図７は図１および図２の凹部１０２の拡大平面図である。
図７において、７０１はコピー機の光源から、凹部１０２の上流側の周縁端への入射光であり、７０４は凹部１０２の下流側の周縁端への入射光である。また、７０２および７０３は、凹部の周縁のうち、矢印２０１と平行な方向の周縁部への入射光である。７０５乃至７０８は凹部１０２の底部への入射光である。
【００３４】
入射光７０２、７０３、７０５、７０６、７０７、および７０８の反射光は前記一様な方向へ反射するので影は生じない。入射光７０１と７０４は、その反射光は前記一様な方向へは反射せず影を生じる。しかし、この上流側の周縁端と下流側の周縁端の面積は非常に小さいので、点のような影を生ずるものの、肉眼ではほとんど見えない。以下、断面図に基づいて詳細に説明する。
【００３５】
図５は図７のＹ−Ｙ切断線断面図である。
図５において、５０１乃至５０９はコピー機の光源から、凹部１０２またはその近傍への入射光である。５１１乃至５１９は入射光５０１乃至５０９の反射光である。また、５２２および５２３はそれぞれ入射光５０２、５０３が印刷物の表面から内部に入った屈折光である。５５１は凹部１０２の上流側の側壁であり、５５３は凹部１０２の下流側の側壁である。図４と同様に領域Ａ、Ｂ、Ｃへの入射光は前記一様な方向へ反射するので影は生じないが領域Ｘ、ＺおよびＹへの入射光によっては影を生じる。以下、図４と同様に、領域ごとに説明する。なお、図５における、凹部１０２の幅（領域Ｂ、Ｚ）は長手方向の幅であり、実際には図示されているものより長いものである。
【００３６】
領域Ａへの入射光（例えば入射光５０１、５０２）は前記一様な方向へ反射し（反射光５１１、５１２参照）、影を生じない。また、領域Ａへの入射光（例えば入射光５０２）は、反射光（例えば反射光５１２）が正常な方向に反射するとともに、界面を通過する屈折光（例えば屈折光５２２）は、次の界面で同様の方向に反射する（反射光５３２参照）。
【００３７】
領域Ｘは、この領域Ｘへの入射光（例えば入射光５０３）は正常な方向に反射する（反射光５１３参照）が、界面で反射しないで印刷物の中に入ってしまう屈折光（例えば屈折光５２３）が、凹部１０２の側壁５５１に反射し、通常の反射光５３２とは異なる方向へ反射する（反射光５３３参照）領域である。領域Ａと領域Ｘの境界は、入射光５０２が入射している近傍であり、屈折光が凹部１０２の側壁５５１に反射する領域はＸ領域となり、屈折光が凹部１０２の側壁５５１に反射しないで、印刷物の裏面の界面で反射するときはＡ領域となる。
【００３８】
領域Ｂは凹部１０２の底部にあり、この領域Ｂへの入射光（例えば入射光５０４、５０５、５０６）の反射光（例えば反射光５１４、５１５、５１６）は前記一様な方向へ反射するので影は生じない。
【００３９】
領域Ｚは、領域Ｂと同様に凹部１０２の底部にあるが、側壁５５３の近傍であるがためにこの領域への入射光（例えば入射光５０７）の反射光（例えば反射光５１７）が側壁５５３に反射し影を生じさせてしまう領域である。
【００４０】
領域Ｙは、凹部１０２の下流側の側壁５５３にある領域であり、このＹ領域への入射光（例えば入射光５０８）は側壁５５３に反射し、前記一様な方向とは異なる方向へ反射（反射光５１８参照）して影を生じる。ただし、図４の場合と異なり、この図５のＹ領域の面積は非常に小さいため、点のような影しか生じず、ほとんど人の目では確認できない。
【００４１】
領域Ｃは、凹部１０２の下流側の側壁５５３の近傍の平坦な領域であり、この領域Ｃへの入射光（例えば入射光５０９）は前記一様な方向へ反射するので、特に影は生じない。
【００４２】
以上の説明からわかるように、凹部１０２のように、長方形または楕円形の凹部の長手方向が、光源が移動する方向と平行になるような凹部においても影を生じる領域は存在するが、影を生じる領域である領域Ｙと領域Ｘの面積が非常に小さいために、微細な点状の影しか生じず、肉眼ではほとんど見えない。
【００４３】
結果として、凹部１０２のように、長方形または楕円形の凹部の長手方向が、光源が移動する方向と平行になるような凹部においては、コピーされても、ほとんど影は生じない。
【００４４】
しかしながら、コピーする方向を変えて、本考案に係る埋め込みコード含有画像印刷物を矢印２０２の方向に光源を移動しながらコピーすると、凹部１０２は影を生じさせるが、凹部１０４は影を生じさせない（図１参照）。
【００４５】
よって、図１に示されている凹部１０４と凹部１０２のように、凹部の長手方向がお互いに、直交するように設置された本考案に係る埋め込みコード含有画像印刷物は、どのような方向からコピーされても影を生じさせることができる。
【００４６】
本考案に係る印刷物の表面の凹部または凸部は、凹部または凸部の形状を有する金型等を用いて印刷物にプレス加工をすることによって作成できる。ただし、プレス加工以外の方法で作成してもよい。
【００４７】
また、画像に埋め込むコードについては、文献１、２に開示されているので説明は省略する。
【００４８】
なお、以上の説明においては、凹部について説明した。しかし、コピーしたときに生じる影は、コピーをするためにコピーの対象物である印刷物をコピー機のガラス板の上に置いたときに、本来は平らで水平方向であるべき面が、水平方向ではないことにより生じるものであり、この水平方向ではない面は凸部の側壁であっても、凹部の側壁であっても同様である。したがって、凸部についての説明は凹部についての説明と同様であるので凸部についての説明は省略する。
【図面の簡単な説明】
【００４９】
【図１】本考案に係るコード埋め込み画像印刷物の構成を示す斜視図である。
【図２】図１の斜視図に示したコードが埋め込まれている画像の領域１０３を正面から視た正面図である。
【図３】図２に示された印刷物をコピー機の光源が矢印２０１の方向に動く状態でコピーしたとき、コピーされた結果の正面図である。
【図４】図３のＸ−Ｘ切断線部分断面図である。
【図５】図７のＹ−Ｙ切断線断面図である。
【図６】図１および図２の凹部１０４の拡大図である。
【図７】凹部１０２の拡大図である。
【符号の説明】
【００５０】
１０１      コード埋め込み画像印刷物
１０２      凹部
１０３      コードが埋め込まれている画像の領域
１０４      凹部
１２４      凹部１０４の半周縁
１３４      凹部１０４の半周縁
２０１      コピーをするときにコピー機の光源が動く方向を表す矢印
２０２      コピーをするときにコピー機の光源が動く方向を表す矢印
【図１】
0003136902.tif 000003
【図２】
0003136902.tif 000004
【図３】
0003136902.tif 000005
【図４】
0003136902.tif 000006
【図５】
0003136902.tif 000007
【図６】
0003136902.tif 000008
【図７】
0003136902.tif 000009